(57)【要約】【課題】安価でありかつ高速に画像データを書き込むことができる、画像保存システムおよび画像保存方法を提供する。【解決手段】画像保存システム１０はハードディスクドライブ１８を含む。ハードディスクドライブ１８のクラスタ３０ごとに、画像データを所定速度以上で書き込み可能な高速エリアか否かを判断し、その結果をエリア情報としてメモリ２２に記憶する。メモリ２２に記憶されたエリア情報に基づいて高速エリアにのみ画像データを書き込む。【選択図】        図１
2004259391.tif 000002
【特許請求の範囲】
【請求項１】
画像データを磁気ディスク装置に書き込む画像保存システムであって、
前記画像データを所定速度以上で書き込み可能な前記磁気ディスク装置の高速エリアに関するエリア情報を記憶する記憶手段、および
前記記憶手段に記憶された前記エリア情報に基づいて、前記高速エリアにのみ前記画像データを書き込む書込手段を備える、画像保存システム。
【請求項２】
画像データを磁気ディスク装置に書き込む画像保存方法であって、
前記画像データを所定速度以上で書き込み可能な前記磁気ディスク装置の高速エリアに関するエリア情報を記憶手段に記憶しておき、
前記記憶手段に記憶された前記エリア情報に基づいて、前記高速エリアにのみ前記画像データを書き込むことを特徴とする、画像保存方法。
【請求項３】
画像データを磁気ディスク装置に書き込む画像保存システムの設定方法であって、
前記磁気ディスク装置の書き込み単位ごとに、前記画像データを所定速度以上で書き込み可能な高速エリアか否かを判断するステップ、および
前記高速エリアに関するエリア情報を記憶手段に記憶するステップを備える、画像保存システムの設定方法。
【発明の詳細な説明】
【０００１】
【発明の属する技術分野】
この発明は画像保存システムおよび画像保存方法に関し、より特定的には、スキャニングによって得られた画像データをハードディスクドライブ（ＨＤＤ）に書き込む画像保存システムおよび画像保存方法に関する。
【０００２】
【従来の技術】
従来より、スキャニング画像の保存方法としては、ＤＲＡＭやＳＲＡＭ等の高速メモリに保存する方法や、ハードディスクドライブ等の大容量の記録媒体に保存する方法がある。
【０００３】
【発明が解決しようとする課題】
しかし、前者の方法では、高速メモリの容量は比較的小さいので、大容量（数Ｇバイト）の画像データを書き込むには多数の高速メモリが必要となりコストが高くなってしまう。
【０００４】
一方、後者の方法では、記録媒体への画像データの書き込み速度が制限されてしまうので、それに応じてスキャニング能力も制限される。
それゆえに、この発明の主たる目的は、安価でありかつ高速に画像データを書き込むことができる、画像保存システムおよび画像保存方法を提供することである。
【０００５】
【課題を解決するための手段】
上述の目的を達成するために、請求項１に記載の画像保存システムは、画像データを磁気ディスク装置に書き込む画像保存システムであって、画像データを所定速度以上で書き込み可能な磁気ディスク装置の高速エリアに関するエリア情報を記憶する記憶手段、および記憶手段に記憶されたエリア情報に基づいて、高速エリアにのみ画像データを書き込む書込手段を備える。
【０００６】
請求項２に記載の画像保存方法は、画像データを磁気ディスク装置に書き込む画像保存方法であって、画像データを所定速度以上で書き込み可能な磁気ディスク装置の高速エリアに関するエリア情報を記憶手段に記憶しておき、記憶手段に記憶されたエリア情報に基づいて、高速エリアにのみ前記画像データを書き込むことを特徴とする。
【０００７】
請求項３に記載の画像保存システムの設定方法は、画像データを磁気ディスク装置に書き込む画像保存システムの設定方法であって、磁気ディスク装置の書き込み単位ごとに、画像データを所定速度以上で書き込み可能な高速エリアか否かを判断するステップ、および高速エリアに関するエリア情報を記憶手段に記憶するステップを備える。
なお、「書き込み単位」とは、クラスタやセクタをいう。
【０００８】
請求項３に記載のように、まず、磁気ディスク装置の書き込み単位ごとに、画像データを所定速度以上で書き込み可能な高速エリアか否かを判断し、高速エリアに関するエリア情報を記憶手段に記憶しておく。そして、請求項１または２に記載のように、記憶手段に記憶されたエリア情報に基づいて、高速エリアにのみ画像データを書き込んでいく。このように磁気ディスク装置の高速書き込み可能な高速エリアにのみ画像データを書き込んでいくので画像データの書き込みが高速となり、ハードディスクドライブ等の磁気ディスク装置を用いるのでコストを低くできる。
【０００９】
【発明の実施の形態】
以下、図面を参照して、この発明の実施形態について説明する。
図１を参照して、この発明の一実施形態の画像保存システム１０は、たとえば写真フィルムなどから画像を読み取るためのスキャナ装置１２と、スキャナ装置１２からの画像データに所定の処理を施すための画像処理部１４と、処理された画像データが入力されハードディスクドライブ１８を制御するためのハードディスクコントロール部１６と、ハードディスクコントロール部１６からの画像データを保存するためのハードディスクドライブ１８と、スキャナ装置１２，画像処理部１４およびハードディスクコントロール部１６の動作を制御するためのＭＰＵ２０と、画像保存システム１０を動作させるためのプログラムやハードディスクドライブ１８に関する情報等を記憶するためのメモリ２２とを備える。
【００１０】
図２を参照して、ハードディスクドライブ１８は複数のディスク２４を備える。ディスク２４には多数の同心円状のトラック２６が形成される。トラック２６はさらに細かくセクタ２８に分割される。セクタ２８はデータをビット列として書き込む際の最小単位となる。セクタ２８を複数個まとめたものがクラスタ３０となる。
メモリ２２には、各クラスタ３０が高速エリアか低速エリアかを示すエリア情報等のディスク管理情報が記憶される。
【００１１】
ついで、画像保存システム１０において、ハードディスクドライブ１８の各クラスタ３０が高速エリアか否かを決定する処理について説明する。この処理は工場出荷前にメーカー側で行われても使用時にユーザ側で行われてもよい。
【００１２】
ディスク２４の各クラスタ３０が高速エリアか否かは、各クラスタ３０への実力転送速度が、ハードディスクコントロール部１６からハードディスクドライブ１８へのデータ転送速度（以下、「必要転送速度」という）以上か否かによって判断される。この判断は、全クラスタ３０に対して行われる。
【００１３】
実力転送速度が必要転送速度以上であれば、そのクラスタ３０は高速エリアと判断され、メモリ２２内の当該クラスタに関するエリア情報としてフラグが「１」に設定される。一方、実力転送速度が必要転送速度未満であれば、そのクラスタ３０は低速エリアと判断され、メモリ２２内の当該クラスタに関するエリア情報としてフラグが「０」に設定される。
【００１４】
ディスク２４の回転数を一定とすれば、外周側のクラスタ３０の方が、内周側のクラスタ３０よりも回転速度が大きくなるので書き込み速度すなわちデータ転送速度が大きくなる。したがって、クラスタ３０について、外周側から内周側に向かって高速エリアか否かを判断していく場合には、通常、ディスク２４の内周側へ向かう途中で高速エリアから低速エリアに変わる位置を検出でき、たとえば図３に示すようにディスク２４の外周側に高速エリア３２が形成され、内周側に低速エリア３４が形成される。それに応じて、メモリ２２内に格納される、クラスタ３０毎のエリア情報としてのフラグが「１」（高速エリアの場合）か「０」（低速エリアの場合）かに設定される。
【００１５】
そして、画像データの書込処理時には、ＭＰＵ２０は、上述のようにして決定されたメモリ２２内のエリア情報（フラグ）に基づいてハードディスクコントロール部１６を制御し、ハードディスクドライブ１８のディスク２４の高速エリアだけに画像データを書き込んでいく。
【００１６】
なお、ハードディスクドライブ１８の各クラスタ３０への実力転送速度は、たとえば数１に示すようにして計算される。
【００１７】
【数１】
2004259391.tif 000003
【００１８】
画像データの書込時には、実力転送速度が必要転送速度以上となるような１クラスタ転送時間を有するエリア（クラスタ）を使用する。１クラスタ転送時間は、ディスク２４上のクラスタ３０の位置によって決定されており、各クラスタ３０の１クラスタ転送時間はメモリ２２に格納されている。
【００１９】
具体例として、クラスタサイズが４１９４３０４バイト、フルストロークシーク時間が１８．７ｍｓ、シングルトラックシーク時間が２ｍｓ、トラックリトライ回数が５回、１回転シーク時間が８．３３ｍｓ、回転リトライ回数が１回とすると、必要転送速度が３０Ｍバイト／ｓ以上必要な場合には、１クラスタ転送時間は０．１０２７秒以下の必要がある。すなわち、１クラスタ転送時間が０．１０２７秒以下であれば、そのクラスタ３０への実力転送速度は必要転送速度以上となる。
【００２０】
したがって、この例では、１クラスタ転送時間が０．１０２７秒以下のクラスタを高速エリア、１クラスタ転送時間が０．１０２７秒を超えるクラスタを低速エリアとする。
【００２１】
このような画像保存システム１０によれば、必要転送速度に応じてディスク２４の書き込みエリアを高速エリアと低速エリアとに区分し、高速書き込み可能な高速エリアにのみ画像データを書き込んでいくので、スキャニングによって得られた大容量の画像データを高速に書き込むことができ、スキャニング能力も向上する。また、ビット単価の低いハードディスクドライブ１８を用いるので、コストを低くできる。
なお、クラスタサイズは任意に変更でき、そのサイズを大きくすれば通常は高速エリアを広くできる。
【００２２】
また、上述の実施形態ではクラスタ３０毎に高速エリアか否かを判断したが、これに限定されず、セクタ２８毎に判断してもよい。この場合、セクタ２８毎の判断結果がエリア情報としてメモリ２２に記憶され、そのエリア情報に基づいて高速エリアにのみ画像データが書き込まれる。
【００２３】
【発明の効果】
この発明によれば、磁気ディスク装置の高速書き込み可能な高速エリアにのみ画像データを書き込んでいくので画像データの書き込みが高速となり、ハードディスクドライブ等の磁気ディスク装置を用いるのでコストを低くできる。
【図面の簡単な説明】
【図１】この発明の一実施形態を示すブロック図である。
【図２】ディスクを示す図解図である。
【図３】ディスクの高速エリアと低速エリアの一例を示す図解図である。
【符号の説明】
１０      画像保存システム
１２      スキャナ装置
１４      画像処理部
１６      ハードディスクコントロール部
１８      ハードディスクドライブ
２０      ＭＰＵ
２２      メモリ
２４      ディスク
２８      セクタ
３０      クラスタ
３２      高速エリア
３４      低速エリア
【図１】
2004259391.tif 000004
【図２】
2004259391.tif 000005
【図３】
2004259391.tif 000006